(57)【特許請求の範囲】
【請求項１】
潜堤の捨石基礎と、この捨石基礎の沖側面を被覆する消波ブロックと、潜堤用小口止めブロックとより成り、上記潜堤用小口止めブロックが、上記捨石基礎の岸側端面に沿って並設された複数のものとし、上記ブロックの高さが上記消波ブロックの高さよりも低く、上記各ブロックが、水平方向に貫通した貫通孔を有し、この貫通孔の一端開口が上記消波ブロック側に向くように配置されていることを特徴とする小口止めブロック付き潜堤。
【発明の詳細な説明】
【０００１】
【発明の属する技術分野】
本発明は潜堤、特に捨石基礎とこれを被覆する消波ブロックとより成る潜堤に関するものである。
【０００２】
【従来の技術】
潜堤は消波を目的として、汀線や護岸からある程度沖に離れたところの海底に設置される構造物である。図１０は従来の潜堤を示し、１は海底地盤、２は上記海底地盤１上に台形状に形成した捨石基礎、３は上記捨石基礎２の表面を被覆した消波ブロックである。
【０００３】
【発明が解決しようとする課題】
然しながら、上記従来の潜堤は捨石基礎２の表面の沖側部分２aと岸側部分２bとの双方を消波ブロック３によって被覆するため、消波ブロック３を多く必要とし、コストがかかるという欠点があった。
【０００４】
本発明は上記のような欠点を除くようにしたものである。
【０００５】
【課題を解決するための手段】
本発明の小口止めブロック付き潜堤は、潜堤の捨石基礎と、この捨石基礎の沖側面を被覆する消波ブロックと、潜堤用小口止めブロックとより成り、上記潜堤用小口止めブロックが、上記捨石基礎の岸側端面に沿って並設された複数のものとし、上記ブロックの高さが上記消波ブロックの高さよりも低く、上記各ブロックが、水平方向に貫通した貫通孔を有し、この貫通孔の一端開口が上記消波ブロック側に向くように配置されていることを特徴とする。
【０００６】
【発明の実施の形態】
以下図面によって本発明の実施例を説明する。
【０００７】
本発明においては、図１及び図２に示すように、水平方向に伸びる例えば矩形状の２つの貫通孔５を有する、その高さが消波ブロック３の被覆層の高さより低い小口止めブロック４を用い、この小口止めブロック４を、その貫通孔５の一端開口が上記消波ブロック３の側を向くように夫々上記消波ブロック３の岸側端面に沿って上記捨石基礎２上に複数並設せしめる。
【０００８】
図３は水理模型実験における波作用前の本発明の潜堤を示し、重量が現地換算でおよそ２００ｋｇ／個の捨石基礎に、消波ブロック３としてテトラポッド３aを、小口止めブロック４として水平方向に延びる矩形状の２つの貫通孔５を有する高さ３ｍ、幅３ｍ、長さ３ｍの方塊ブロック４aを用いた。
【０００９】
なお、捨石基礎２の表面の沖側部分２aは捨石基礎２の天端上３個並びで上下２層とした上記テトラポッド３aにより被覆し、この被覆高さを約５ｍとし、上記方塊ブロック４aを、その貫通孔５の一端開口が上記テトラポッド３aの側を向くようにして夫々上記テトラポッド３aの岸側端面に沿って上記捨石基礎２上に10個設置せしめた。
【００１０】
なお、捨石基礎の天端水深は８．０ｍとした。
【００１１】
また、図３に示すように、方塊ブロック４aの水路幅の真中から右側に位置するものにおいては、その２つの貫通孔５が左右に位置するように上記方塊ブロック４aを上記捨石基礎２上に配置せしめ、また、方塊ブロック４aの水路幅の真中から左側に位置するものにおいては、その２つの貫通孔５が上下に位置するように上記方塊ブロック４aを上記捨石基礎２上に配置せしめた。
【００１２】
以上の条件で、沖から換算沖波波高９．５ｍ、沖波周期１３ｓの不規則波をおよそ１０００波作用させて、波作用後のブロックの移動状態を確認した。
【００１３】
図４は波作用後の堤体を示し、被災は全くなく、また背面側の捨石基礎についても崩れは見られず安定であった。
【００１４】
図５〜図９は本発明に対する比較例としての水理模型実験の潜堤を示す。テトラポッド３aの岸側端面に沿って上記捨石基礎２上に設置される小口止めブロック４において、水路幅の真中から右側に配置される小口止めブロック４としては図７に示すように垂直方向に伸びる矩形状の２つの貫通孔５を有する高さ３ｍ、幅３ｍ、長さ３ｍの方塊ブロック４bと、垂直方向に伸びる矩形状の２つの貫通孔５を有する高さ１．８ｍ、幅３ｍ、長さ３ｍの方塊ブロック４cとを用い、上記方塊ブロック４bと上記方塊ブロック４cとを図５及び図６に示すように上下２段積みとした。また、テトラポッド３aの岸側端面の水路幅の真中から左側に沿って上記捨石基礎２上に設置される小口止めブロック４としては、貫通孔を有しない高さ３ｍ、幅３ｍ、長さ３ｍの方塊ブロック４dを図５に示すように２段積みとし、何れの２段積みの合計高さも上記被覆ブロックの被覆層の高さと略等しくした。
【００１５】
他の条件は全て本発明の小口止めブロックを用いた水理模型実験の条件と同じとした。
【００１６】
図９は波作用後の堤体を示し、方塊ブロック４b、４c、４dのみならずテトラポッド３aまで潜堤の背後に転落していた。
【００１７】
【発明の効果】
比較例から主に水平力が安定性に影響していることが分かり、上記のように消波ブロックの抑えに用いた本発明の小口止めブロックは、消波ブロック側に向いた貫通孔を有するため小口止めブロックに加わる波による水平力が減少し、また、その高さを消波ブロックの被覆層の高さより低いものとしたので、波圧の受圧面積を小さくでき、同時に水平方向の波力も小さく押さえて、潜堤の安定性を大きくすることができる。
【００１８】
また、小口止めブロックの天端高さを消波ブロックの天端より低くすることによって小口止めブロックの重心を低くできるので安定性を高めることができ、消波ブロックの安定性を損なうことがない等大きな利益がある。
【図面の簡単な説明】
【図１】本発明の小口止めブロックを用いた潜堤の説明用側面図である。
【図２】本発明の潜堤の被覆ブロックの小口止めブロックの説明用斜視図である。
【図３】水理模型実験における本発明の小口止めブロックを用いた潜堤の波作用前の説明用斜視図である。
【図４】水理模型実験における本発明の小口止めブロックを用いた潜堤の波作用後の説明用斜視図である。
【図５】水理模型実験における比較例としての小口止めブロックを用いた潜堤の波作用前の説明用斜視図である。
【図６】水理模型実験における比較例としての小口止めブロックを用いた潜堤の説明用側面図である。
【図７】水理模型実験における比較例としての小口止めブロックの説明用斜視図である。
【図８】水理模型実験における他の比較例としての小口止めブロックの説明用斜視図である。
【図９】水理模型実験における比較例としての小口止めブロックを用いた潜堤の波作用後の斜視図である。
【図１０】従来の潜堤の説明用側面図である。
【図１１】小口止めブロックの説明用斜視図である。
【図１２】小口止めブロックを用いた潜堤の説明用側面図である。
【符号の説明】
１   海底地盤
２   捨石基礎
２a  沖側部分
２b  岸側部分
３   消波ブロック
３a  テトラポッド
４   小口止めブロック
４a  水平方向に伸びる矩形状の２つの貫通孔を有する方塊ブロック
４b  垂直方向に伸びる矩形状の２つの貫通孔を有する方塊ブロック
４c  垂直方向に伸びる矩形状の２つの貫通孔を有する方塊ブロック
４d  貫通孔を有しない方塊ブロック
５   貫通孔
【図１】
0004357735.tif 000002
【図２】
0004357735.tif 000003
【図３】
0004357735.tif 000004
【図４】
0004357735.tif 000005
【図５】
0004357735.tif 000006
【図６】
0004357735.tif 000007
【図７】
0004357735.tif 000008
【図８】
0004357735.tif 000009
【図９】
0004357735.tif 000010
【図１０】
0004357735.tif 000011
【図１１】
0004357735.tif 000012
【図１２】
0004357735.tif 000013